(57)【要約】【課題】蓋体４を回動し、蓋体４を立てることにより芯出口２Ａを開くとともに、蓋体４を横に倒すことにより芯出口２Ａを閉じる替芯ケースにおいて、蓋体４を立てて蓋固定部材２の芯出口２Ａと蓋体４の芯出口４Ｃを合致させれば、芯３を手で保持することなく蓋体４の尖端部４Ｂに形成された芯出口４Ｃから芯タンクに直接芯３を挿入することができる替芯ケースを提供する。【解決手段】蓋体４を横に倒して隆起部４Ｄにより芯出口２Ａを閉じた時、蓋体４の回転軸４Ａが蓋固定部材２の取付穴２Ｄに係合する。また、蓋体４を立てた時、蓋体４の隆起部４Ｄが蓋固定部材２の切溝２Ｅに形成されたストッパー部２Ｈに当接されて蓋体４の回転が停止され、蓋固定部材２の芯出口２Ａと蓋体４の芯出口４Ｃが合致して芯３が通過可能に構成する。【選択図】        図１
2008044290.tif 000002
【特許請求の範囲】
【請求項１】
蓋体を回動し、蓋体を立てることにより芯出口を開くとともに、蓋体を横に倒すことにより芯出口を閉じる替芯ケースにおいて、蓋固定部材に非円形の取付穴を形成し、更に、蓋固定部材に前記取付穴を横切る切溝を形成して取付穴が拡開可能に構成するとともに、蓋固定部材の切溝側に芯出口を形成し、かつ、蓋体の尖端部に芯出口を形成するとともに、蓋体に断面非円形の回転軸を形成し、この回転軸側の端が表壁より裏方向に適宜の幅の隆起部を形成し、該蓋体の回転軸を前記蓋固定部材の取付穴に回動可能に取り付け、蓋体を横に倒して前記隆起部により芯出口を閉じた時、蓋体の回転軸が蓋固定部材の取付穴に係合され、かつ、隆起部により蓋固定部材の取付穴を横切る切溝を覆うとともに、蓋体を立てた時、蓋体の隆起部が蓋固定部材の切溝に形成されたストッパー部に当接されて蓋体の回転が停止され、前記蓋固定部材の芯出口と蓋体の芯出口が合致して芯が通過可能に構成したことを特徴とする替芯ケース。
【請求項２】
蓋固定部材の芯出口は、芯が１本のみ通過可能に構成したことを特徴とする請求項１記載の替芯ケース。
【発明の詳細な説明】
【技術分野】
【０００１】
本発明は、シャープペンシルの芯を収納するための替芯ケースに関するものである。
【背景技術】
【０００２】
従来、蓋体を回動し、蓋体を立てることにより芯出口を開くとともに、蓋体を横に倒すことにより芯出口を閉じる替芯ケースが知られている。（特許文献１参照）
【特許文献１】特許第３６０７４６０号公報
【発明の開示】
【発明が解決しようとする課題】
【０００３】
しかしながら、上記した替芯ケースは、芯出口より排出された芯を手で保持してシャープペンシルの芯タンクに収納しなければならないという欠点があった。
本発明は、上記課題を解消する替芯ケースを提供することを目的とするものである。
【課題を解決するための手段】
【０００４】
本発明は、蓋体を回動し、蓋体を立てることにより芯出口を開くとともに、蓋体を横に倒すことにより芯出口を閉じる替芯ケースにおいて、蓋固定部材に非円形の取付穴を形成し、更に、蓋固定部材に前記取付穴を横切る切溝を形成して取付穴が拡開可能に構成するとともに、蓋固定部材の切溝側に芯出口を形成し、かつ、蓋体の尖端部に芯出口を形成するとともに、蓋体に断面非円形の回転軸を形成し、この回転軸側の端が表壁より裏方向に適宜の幅の隆起部を形成し、該蓋体の回転軸を前記蓋固定部材の取付穴に回動可能に取り付け、蓋体を横に倒して前記隆起部により芯出口を閉じた時、蓋体の回転軸が蓋固定部材の取付穴に係合され、かつ、隆起部により蓋固定部材の取付穴を横切る切溝を覆うとともに、蓋体を立てた時、蓋体の隆起部が蓋固定部材の切溝に形成されたストッパー部に当接されて蓋体の回転が停止され、前記蓋固定部材の芯出口と蓋体の芯出口が合致して芯が通過可能に構成したことを第１の要旨とする。
【０００５】
また、蓋固定部材の芯出口は、芯を１本のみ通過可能に構成したことを第２の要旨とする。
【発明の効果】
【０００６】
本発明は、蓋体が立った状態と横に倒した状態で確実に停止できるとともに、蓋体を立てて蓋固定部材の芯出口と蓋体の芯出口を合致させれば、芯を手で保持することなく、蓋体の尖端部に形成された芯出口から芯タンクに直接芯を挿入することができ、非常に芯を挿入し易い効果が奏せられるものである。
【発明を実施するための最良の形態】
【０００７】
蓋体を立てた時、蓋固定部材の芯出口と蓋体の芯出口が合致して芯が通過可能となり、蓋体の芯出口より排出される芯が直接シャープペンシルの芯タンクに挿入できる替芯ケースを実現した。
【実施例１】
【０００８】
以下、図１、図２、図３、図４及び図５に基づいて本発明における実施例１の替芯ケースを説明する。本体１は透明な合成樹脂製で、上端が開口した箱型に形成されている。この本体１は、上部の側壁内面が凹陥されて取付部１Ａが形成される。更に、本体１の上端には、側壁が切り欠かれて表壁と裏壁の上方が適宜弾性変形可能に構成される。この本体１の裏壁の上方には、図４に示したように、両側に平坦部を有する小判型の開口穴１Ｂが形成されている。
【０００９】
また、蓋固定部材２の左側には芯３が１本のみ通過可能な芯出口２Ａが形成され、尚かつ、蓋固定部材２の底面２Ｂは芯出口２Ａに向かって傾斜されて芯３が芯出口２Ａに集まるように構成されている。更に、蓋固定部材２は上方に突出した上部２Ｃが形成され、この上部２Ｃには、下半分が半円状で、上半分が左縁が垂直で右縁が傾斜されかつ上縁が平坦となる台形状の取付穴２Ｄが形成される。更に、取付穴２Ｄのほぼ中心を横切る直線状の切溝２Ｅが上部の左側より形成されて、取付穴２Ｄは適宜拡開可能に構成されている。更に、蓋固定部材２の上部２Ｃには、図４に示したように両側に平坦部を有する小判型の突起２Ｆが構成されている。
【００１０】
更に、蓋体４の中央には表壁より裏方向に隆起する断面非円形の回転軸４Ａが形成されている。この回転軸４Ａの断面は、左下方半分が半円形で右上方半分が略山形に形成されている。更に、蓋体４の右端の尖端部４Ｂには断面コ字形の芯出口４Ｃが形成され、また、左端は半円形に形成され、その縁には表壁より裏方向に適宜の幅の隆起部４Ｄが形成されている。しかも、隆起部４Ｄの上端には前記芯出口４Ｃと直線上に合致した開口穴４Ｅが形成される。
【００１１】
以上説明した蓋体４の回転軸４Ａが蓋固定部材２の取付穴２Ｄに嵌め込まれ、蓋体４の回転軸４Ａの略山形の頂部が蓋固定部材２の取付穴２Ｄに形成された平坦な上縁により押圧されて右側に傾き、蓋固定部材２の芯出口２Ａが蓋体４の隆起部４Ｄによって閉じられている。また、蓋体４の隆起部４Ｄによって蓋固定部材２の取付穴２Ｄを横切る切溝２Ｅを覆って構成される。この状態で蓋固定部材２を前記本体１の上方より挿入し、蓋固定部材２の下部２Ｇを本体１の取付部１Ａに嵌合し、蓋固定部材２の突起２Ｆを本体１の開口穴１Ｂに嵌合させる。尚、蓋固定部材２の突起２Ｆを本体１の開口穴１Ｂに嵌合する時、本体１の表壁と裏壁に形成される上片が弾性変形する為に蓋固定部材２は容易に本体１内に挿入される。更に、本体１内には複数の芯３が収納され、替芯ケースが構成される。
【００１２】
この替芯ケースより芯３を取り出す為には、蓋体４の右端に形成された尖端部４Ｂを指で操作して蓋体４を持ち上げ、蓋体４の回転軸４Ａを回転させる。すると、蓋体４の回転軸４Ａに形成した略山形の頂部が蓋固定部材２の取付穴２Ｄに形成された平坦な上縁を押し上げて取付穴２Ｄを拡開する。そして、回転軸４Ａの頂部が左側に傾くと、取付穴２Ｄが閉じようとする為に蓋体４は自動的に立ち上がり、蓋体４の隆起部４Ｄが蓋固定部材２のストッパー部２Ｈに当接して、蓋体４が立ち上がった状態で停止する。したがって、蓋固定部材２の芯出口２Ａと蓋体４の開口穴４Ｅが合致するとともに、蓋体４の芯出口４Ｃ、開口穴４Ｅ及び蓋固定部材２の芯出口２Ａが直線上に合致し、芯３が１本づつ通過可能な図５に示した状態となる。この状態で、替芯ケースの蓋体４の尖端部４Ｂをシャープペンシルの芯タンクに差し込み、替芯ケースの上部を下に向ければ替芯ケースの本体１内に収納された芯３が１本づつ落下し、芯タンク内に収納できる。
【００１３】
再び芯出口２Ａを閉じる場合には、立ち上がった蓋体４を倒すと、回転軸４Ａの頂部が上縁を押し上げて取付穴２Ｄを拡開し、頂部が右側に傾くと、取付穴２Ｄが閉じようとする為に蓋体４は自動的に倒れ、蓋体４の隆起部４Ｄにより蓋固定部材２の芯出口２Ａが閉じられて図１の状態に復帰する。
【００１４】
以上説明した実施例１の替芯ケースにおいては、蓋体４の回転軸４Ａの頂部と蓋固定部材２の取付穴２Ｄにより蓋体４の開閉時に節度が得られ、操作する指に蓋体４が立ち上がった状態と横に倒れた状態の感触が得られ、非常に操作し易いものである。
【００１５】
尚、本発明は上記実施例１に限定されるものではなく、芯出口２Ａを通過する芯３は、１本づつ以外に２〜３本づつ通過可能に構成しても良い。
【産業上の利用可能性】
【００１６】
蓋体を立てることにより芯出口を開口させ、この蓋体の尖端をシャープペンシルの芯タンクに差し込むことにより芯を芯タンク内に挿入することができる。
【図面の簡単な説明】
【００１７】
【図１】本発明の実施例１の替芯ケースを示す断面図である。（実施例１）
【図２】実施例１の蓋体を示す正面図である。（実施例１）
【図３】実施例１の蓋体を示す背面図である。（実施例１）
【図４】実施例１の替芯ケースを示す主要部背面図である。（実施例１）
【図５】実施例１の替芯ケースの芯出口を開いた状態を示す断面図である。（実施例１）
【符号の説明】
【００１８】
２  蓋固定部材
２Ａ  蓋固定部材２の芯出口
２Ｄ  蓋固定部材２の取付穴
２Ｅ  蓋固定部材２の切溝
２Ｈ  蓋固定部材２のストッパー部
３  芯
４  蓋体
４Ａ  蓋体４の回転軸
４Ｄ  蓋体４の隆起部
【図１】
2008044290.tif 000003
【図２】
2008044290.tif 000004
【図３】
2008044290.tif 000005
【図４】
2008044290.tif 000006
【図５】
2008044290.tif 000007